(57)【要約】      （修正有）【課題】ケーシング内にアクション板を配置するためのスペースが不要となり、この結果、スイッチ自体をコンパクト化できるとともに部品点数が減少し組付工数が少なくなって生産効率を向上させやすいプッシュスイッチ装置を提供する。【解決手段】ケーシング１０にスライダ３０を進退可能に内装し、スライダ１０にクリック手段のアクションボール６１を設置し、スライダ１０をリターンばね３２に抗してクリック式に押し込むことによって一対の接点２１をつなぎスイッチＯＮさせるプッシュスイッチ装置Ａである。ケーシング１０にスリット溝１３を形成し、スリット溝１３にアクションボール６１を係止可能としたものである。【選択図】図２
0003186270.tif 000002
【実用新案登録請求の範囲】
【請求項１】
ケーシングにスライダを進退可能に内装し前記スライダにクリック手段のアクションボールを設置し、このスライダをリターンばねに抗してクリック式に押し込むことによって一対の接点をつなぎスイッチＯＮさせるプッシュスイッチ装置において、前記ケーシングに係止凹部を形成し、この係止凹部に前記アクションボールを係止可能としたことを特徴とするプッシュスイッチ装置。
【請求項２】
前記係止凹部はスリット溝であり、前記ケーシングの軸方向に沿って延びていることを特徴とする請求項１のプッシュスイッチ装置。
【請求項３】
前記スリット溝は前記ケーシングの上端縁に開放していることを特徴とする請求項２のプッシュスイッチ装置。
【考案の詳細な説明】
【技術分野】
【０００１】
この考案はプッシュスイッチ装置に関し、例えば、自動二輪車、建設用車両、農業用車両のホーンスイッチやコントロールスイッチとして使用されるものである。
【背景技術】
【０００２】
従来におけるこの種のプッシュスイッチ装置は、ケーシングにスライダを進退可能に内装しこのスライダをリターンばねに抗して押し込むことによって一対の接点をＯＮさせていた。そして、前記スライダにクリック手段のアクションボールを設置し、スライダの進退をクリック式にすることによって、使用者における操作感を確保していた。
【０００３】
【特許文献１】特開２００２−０９３２７８号公報
【考案の開示】
【考案が解決しようとする課題】
【０００４】
しかしながら、かかる従来のプッシュスイッチ装置にあっては、前記ケーシング内にアクション板を設置し、このアクション板に前記アクションボールを係止可能としていたため、ケーシング内にアクション板を配置するためのスペースが必要となり、この結果、スイッチ自体をコンパクト化しにくいとともに組み付け工数が増え、生産しにくいという不都合を有した。
【０００５】
この考案の課題はこの不都合を解消することである。
【課題を解決するための手段】
【０００６】
前記不都合を解消するために、この考案に係るプッシュスイッチ装置においては、ケーシングにスライダを進退可能に内装し前記スライダにクリック手段のアクションボールを設置し、このスライダをリターンばねに抗してクリック式に押し込むことによって一対の接点をつなぎスイッチＯＮさせるプッシュスイッチ装置において、前記ケーシングに係止溝を形成し、この係止溝に前記アクションボールを係止可能としたものである。
【０００７】
この場合、前記係止凹部をスリット溝にして、前記ケーシングの軸方向に沿って延延ばすことができる。
【０００８】
さらに、このスリット溝を前記ケーシングの上端縁に開放させることができる。
【考案の効果】
【０００９】
この考案に係るプッシュスイッチ装置は上記のように構成されているため、即ち、ケーシングにスライダを進退可能に内装し前記スライダにクリック手段のアクションボールを設置し、このスライダをリターンばねに抗してクリック式に押し込むことによって一対の接点をつなぎスイッチＯＮさせるプッシュスイッチ装置において、前記ケーシングに係止凹部を形成し、この係止凹部に前記アクションボールを係止可能としたため、従来のようにケーシング内にアクション板を設置する必要はないものである。
【００１０】
よって、このプッシュスイッチ装置を使用すれば、従来のようにケーシング内にアクション板を配置するためのスペースが不要となり、この結果、スイッチ自体をコンパクト化できるともに部品点数が減少し組付工数が少なくなって生産効率を向上させやすいものである。
【００１１】
この場合、前記係止凹部をスリット溝にして、前記ケーシングの軸方向に沿って延ばせば、アクションボールがスライダの進退方向からずれにくいため、クリックストップ機構が安定する。
【００１２】
さらに、このスリット溝を前記ケーシングの上端縁に開放させれば、スライダをケーシングに組み付けるときに、アクションボールを係止溝に位置にあわせやすいのである。
【考案を実施するための最良の形態】
【００１３】
この考案に係るプッシュスイッチ装置は実施するにあたって下記の構成に最も主要な特徴を有する。
【００１４】
「ケーシング」は円筒体が適しているがこれに限定されるものではない。
【００１５】
「係止凹部」はスリット溝であり、前記円筒体の軸方向に沿って延びその上端縁に開放していることが望ましい。
【実施例】
【００１６】
以下、この考案の実施例を図面に基づいて説明する。
図１はこの考案に係るプッシュスイッチ装置の実施例の斜視図、図２は図１におけるII-II線断面図、図３は作動した状態の図２に相当する図、図４は図１における分解斜視図である。
【００１７】
図１〜図４において、Ａはプッシュスイッチ装置、１０はそのケーシングである。このケーシング１０は樹脂製であり、有底円筒状をしている。１１はハーネス固定部であり、前記ケーシング１０の底部に一体形成されている。このハーネス固定部１１は軸孔１２を有し、この軸孔１２は前記ケーシング１０内に開放している。
【００１８】
２０はターミナルベースであり、前記ケーシング１０の底部に載置されている。２１，２１は一対の接点２１，２１、２２はばね座であり、いずれも前記ターミナルベース２０の表面に突設されている。２３はハーネスであり、前記接点２１，２１に接続されている。このハーネス２３の他端は前記ハーネス固定部１１の軸孔１２を通過して、前記ケーシング１０外に延びている。
【００１９】
３０はスライダであり、前記ケーシング１０に進退可能に内装されている。このスライダ３０は樹脂製であり、前記ターミナルベース２０に接触したり離れたりする。３１はリターンばね収容穴であり、前記スライダ３０の底面に形成されている。また、３２はコイル状リターンばねであり、前記リターンばね収容穴３１に内装されている。このリターンばね３２の弾性力によって前記スライダ３０を原状態（図２の状態）に戻ることができる。
【００２０】
３３はコンタクトであり、前記スライダ３０の下面にコンタクトばね３４を介して外嵌めされている。このコンタクト３３は前記スライダ３０が押し込まれたときに前記接点２１，２１に接触してこれらを短絡してスイッチＯＮさせる。
【００２１】
４０は押しボタンであり、前記スライダ３０の上面に載置されている。この押しボタン４０を前記リターンばね３２に抗して押し込むことにより、このプッシュスイッチ装置ＡをＯＮさせることができる。
【００２２】
５０は防水性ゴムカバーであり、前記ケーシング１０の上端開口を覆っている。このカバー５０はケーシング１０の外壁面に沿って延び、下端縁に掛け止めされている。なお、このカバー５０の上部には孔５１があり、この穴５１を介して前記押しボタン４０の頭部がカバー５０外に突出している。
【００２３】
次に、６０はボール用穴であり、前記スライダ３０の側面に形成されている。このボール用穴６０は水平方向に延び、アクションボール６１がコイルスプリング（圧縮ばね）６２を介して出入自在に内装されている。
【００２４】
また、１３はスリット溝であり、前記ケーシング１０の周壁面に形成されている。このスリット溝１３は前記ケーシング１０の軸方向に沿って延び、その上端は前記ケーシング１０の上端縁に開放している。このスリット溝１３はこの考案の係止凹部を構成し、前記スライダ３０の進退の際に前記アクションボール６１がクリックストップ式に出入する（図２、図３を参照のこと）
【産業上の利用可能性】
【００２５】
この考案に係るプッシュスイッチ装置は、前記筒体に係止凹部を形成し、この係止凹部に前記アクションボールを係止可能としたため、従来のようにケーシング内にアクション板を設置する必要はない。従来のようにケーシング内にアクション板を配置するためのスペースが不要となり、スイッチ自体をコンパクト化できるともに部品点数が減少し組付工数が少なくなって生産効率を向上させやすい。よって、産業上の利用可能性は高いものである。
【図面の簡単な説明】
【００２６】
【図１】図１はこの考案に係るプッシュスイッチ装置の実施例の斜視図である。
【図２】図２は図１におけるII-II線断面図である。
【図３】図３は作動した状態の図２に相当する図である。
【図４】図４は図１における分解斜視図である。
【符号の説明】
【００２７】
Ａ  …  プッシュスイッチ装置
１０  …  ケーシング
１１  …  ハーネス固定部
１２  …  軸孔
１３  …  スリット溝（係止凹部）
２０  …  ターミナルベース
２１  …  接点
２２  …  ばね座
２３  …  ハーネス
３０  …  スライダ
３１  …  リターンばね収容穴
３２  …  リターンばね
３３  …  コンタクト
３４  …  コンタクトばね
４０  …  押しボタン
５０  …  防水性ゴムカバー
５１  …  孔
６０  …  ボール用穴
６１  …  アクションボール
６２  …  コイルスプリング
【図１】
0003186270.tif 000003
【図２】
0003186270.tif 000004
【図３】
0003186270.tif 000005
【図４】
0003186270.tif 000006